(57)【要約】【課題】動画データに対するコメントの数が少ない場合にも適切な入力候補を提示する。【解決手段】候補抽出装置は、動画データに対するコメントの入力候補を、当該動画データと異なる他の動画データに対するコメントから抽出する候補抽出部と前記候補抽出部が抽出した入力候補を前記動画データを再生する端末装置に出力する出力部とを備える。【選択図】図２
2015211290.tif 000002
【特許請求の範囲】
【請求項１】
動画データに対するコメントの入力候補を、当該動画データと異なる他の動画データに対するコメントから抽出する候補抽出部と
前記候補抽出部が抽出した入力候補を前記動画データを再生する端末装置に出力する出力部と
を備える候補抽出装置。
【請求項２】
前記動画データとメタデータの少なくとも一部が共通する他の動画データを抽出する関連動画抽出部を備え、
前記候補抽出部は、動画データに対するコメントの入力候補を、前記関連動画抽出部が抽出した他の動画データに対するコメントから抽出する
請求項１に記載の候補抽出装置。
【請求項３】
前記メタデータは、１又は複数の動画タグであって、
前記関連動画抽出部は、前記動画データと共通する動画タグの個数が所定数以上である他の動画データを抽出する
請求項２に記載の候補抽出装置。
【請求項４】
前記動画データと類似する他の動画データを抽出する関連動画抽出部を備え、
前記候補抽出部は、動画データに対するコメントの入力候補を、前記関連動画抽出部が抽出した他の動画データに対するコメントから抽出する
請求項１に記載の候補抽出装置。
【請求項５】
前記候補抽出部が抽出した入力候補ごとに、当該入力候補と類似するコメントが出現する再生時間に基づいて当該入力候補の提示期間を特定する提示期間特定部を備え、
前記出力部は、前記候補抽出部が抽出した入力候補と、前記提示期間特定部が特定した提示期間に基づいて決定した当該入力候補の提示期間とを関連付けて前記動画データを再生する端末装置に出力する
請求項１から請求項４の何れか１項に記載の候補抽出装置。
【請求項６】
動画データに対するコメントの入力候補を、当該動画データと異なる他の動画データに対するコメントから抽出する候補抽出部と、
前記候補抽出部が抽出した入力候補の中から、端末装置に表示させる入力候補を特定する候補特定部と
を備えるコメント配信システム。
【請求項７】
前記候補特定部は、前記候補抽出部が抽出した入力候補のうち、前記動画データに対するコメントと類似するものを、前記端末装置に表示させる入力候補として特定する
請求項６に記載のコメント配信システム。
【請求項８】
前記候補特定部は、前記候補抽出部が抽出した入力候補のうち、前記動画データに対するコメントと類似するものに共起するものを、前記端末装置に表示させる入力候補として特定する
請求項６または請求項７に記載のコメント配信システム。
【請求項９】
前記候補特定部は、前記候補抽出部が抽出した入力候補のうち、前記他の動画データにおける当該入力候補に類似するコメントの出現数が所定数以上のものを、前記端末装置に表示させる入力候補として特定する
請求項６から請求項８の何れか１項に記載のコメント配信システム。
【請求項１０】
動画データに対するコメントの入力候補を、当該動画データと異なる他の動画データに対するコメントから抽出するステップと
前記抽出した入力候補を前記動画データを再生する端末装置に出力するステップと
を有する候補抽出方法。
【請求項１１】
コンピュータを、
動画データに対するコメントの入力候補を、当該動画データと異なる他の動画データに対するコメントから抽出する候補抽出部、
前記候補抽出部が抽出した入力候補を前記動画データを再生する端末装置に出力する出力部
として機能させるためのプログラム。
【発明の詳細な説明】
【技術分野】
【０００１】
本発明は、動画データに対するコメントの入力候補を抽出する候補抽出装置、コメント配信システム、候補抽出方法及びプログラムに関する。
【背景技術】
【０００２】
近年、動画のコンテンツは、ＰＣ（Ｐｅｒｓｏｎａｌ  Ｃｏｍｐｕｔｅｒ）のみならず、携帯電話端末やテレビ等にも配信される。また、動画の再生時間に対応してコメントの投稿を受け付け、動画とコメントとを動画再生時間に合わせて表示する技術も提案されている。特許文献１には、再生される動画に応じてコメントを入力するユーザに対して入力候補を提示する技術が開示されている。具体的には、特許文献１には、動画データに対するコメントをクラスタリングし、属するコメントの数の多いクラスタに含まれるコメントを入力候補とする技術が開示されている。
【先行技術文献】
【特許文献】
【０００３】
【特許文献１】特開２０１３−２２９８７３号公報
【発明の概要】
【発明が解決しようとする課題】
【０００４】
しかしながら、特許文献１に記載の技術では、動画データに対するコメントの数が少ない場合、適切な入力候補を提示することができない可能性がある。
本発明の目的は、動画データに対するコメントの数が少ない場合にも適切な入力候補を提示する候補抽出装置、コメント配信システム、候補抽出方法及びプログラムを提供することにある。
【課題を解決するための手段】
【０００５】
第１の態様は、動画データに対するコメントの入力候補を、当該動画データと異なる他の動画データに対するコメントから抽出する候補抽出部と前記候補抽出部が抽出した入力候補を前記動画データを再生する端末装置に出力する出力部とを備える候補抽出装置である。
【０００６】
また、第２の態様は、第１の態様において、前記動画データとメタデータの少なくとも一部が共通する他の動画データを抽出する関連動画抽出部を備え、前記候補抽出部は、動画データに対するコメントの入力候補を、前記関連動画抽出部が抽出した他の動画データに対するコメントから抽出する候補抽出装置である。
【０００７】
また、第３の態様は、第２の態様において、前記メタデータは、１又は複数の動画タグであって、前記関連動画抽出部は、前記動画データと共通する動画タグの個数が所定数以上である他の動画データを抽出する候補抽出装置である。
【０００８】
また、第４の態様は、第１の態様において、前記動画データと類似する他の動画データを抽出する関連動画抽出部を備え、前記候補抽出部は、動画データに対するコメントの入力候補を、前記関連動画抽出部が抽出した他の動画データに対するコメントから抽出する候補抽出装置である。
【０００９】
また、第５の態様は、第１から第４の何れかの態様において、前記候補抽出部が抽出した入力候補ごとに、当該入力候補と類似するコメントが出現する再生時間に基づいて当該入力候補の提示期間を特定する提示期間特定部を備え、前記出力部は、前記候補抽出部が抽出した入力候補と、前記提示期間特定部が特定した提示期間に基づいて決定した当該入力候補の提示期間とを関連付けて前記動画データを再生する端末装置に出力する候補抽出装置である。
【００１０】
また、第６の態様は、動画データに対するコメントの入力候補を、当該動画データと異なる他の動画データに対するコメントから抽出する候補抽出部と、前記候補抽出部が抽出した入力候補の中から、端末装置に表示させる入力候補を特定する候補特定部とを備えるコメント配信システムである。
【００１１】
また、第７の態様は、第６の態様において、前記候補特定部は、前記候補抽出部が抽出した入力候補のうち、前記動画データに対するコメントと類似するものを、前記端末装置に表示させる入力候補として特定するコメント配信システムである。
【００１２】
また、第８の態様は、第６または第７の態様において、前記候補特定部は、前記候補抽出部が抽出した入力候補のうち、前記動画データに対するコメントと類似するものに共起するものを、前記端末装置に表示させる入力候補として特定するコメント配信システムである。
【００１３】
また、第９の態様は、第６から第８の何れかの態様において、前記候補特定部は、前記候補抽出部が抽出した入力候補のうち、前記他の動画データにおける当該入力候補に類似するコメントの出現数が所定数以上のものを、前記端末装置に表示させる入力候補として特定するコメント配信システムである。
【００１４】
また、第１０の態様は、動画データに対するコメントの入力候補を、当該動画データと異なる他の動画データに対するコメントから抽出するステップと前記抽出した入力候補を前記動画データを再生する端末装置に出力するステップとを有する候補抽出方法である。
【００１５】
また、第１１の態様は、コンピュータを、動画データに対するコメントの入力候補を、当該動画データと異なる他の動画データに対するコメントから抽出する候補抽出部、前記候補抽出部が抽出した入力候補を前記動画データを再生する端末装置に出力する出力部として機能させるためのプログラムである。
【発明の効果】
【００１６】
上記態様のうち少なくとも１つの態様によれば、候補抽出装置は、他の動画データに対するコメントに基づいて入力候補を生成する。これにより、候補抽出装置は、動画データに対するコメントの数が少ない場合にも適切な入力候補を提示することができる。
【図面の簡単な説明】
【００１７】
【図１】一実施形態に係るコメント配信システムの構成を示す概略ブロック図である。
【図２】一実施形態に係る入力候補配信サーバの構成を示す概略ブロック図である。
【図３】一実施形態に係る入力候補配信サーバによる候補抽出方法を示すフローチャートである。
【図４】一実施形態に係る端末装置の構成を示す概略ブロック図である。
【図５】一実施形態に係る端末装置の動作を示すフローチャートである。
【図６】入力インタフェースの一例を示す図である。
【図７】少なくとも１つの実施形態に係るコンピュータの構成を示す概略ブロック図である。
【発明を実施するための形態】
【００１８】
以下、図面を参照しながら実施形態について詳しく説明する。
図１は、一実施形態に係るコメント配信システム１の構成を示す概略ブロック図である。
コメント配信システム１は、ウェブサーバ１００と、動画配信サーバ２００と、コメント配信サーバ３００と、入力候補配信サーバ４００と、複数の端末装置５００とを備える。動画配信サーバ２００、コメント配信サーバ３００、入力候補配信サーバ４００及び複数の端末装置５００は、それぞれネットワークＮを介して接続されている。
【００１９】
ウェブサーバ１００は、動画データを表示するためのウェブページを提供する。またウェブサーバ１００は、各動画データのメタデータを記憶する。本実施形態において動画データのメタデータは、当該動画データの分類を示す文字列（動画タグ）である。ウェブサーバ１００が提供するウェブページには、動画データを取得するためのＵＲＬ（Uniform Resource Locater）、当該動画データに対するコメントを取得するためのＵＲＬ、コメントの入力候補を取得するためのＵＲＬ、及び当該動画データのメタデータが含まれる。
【００２０】
動画配信サーバ２００は、複数の動画データを記憶する。動画配信サーバ２００は、端末装置５００からの配信要求に応じて、動画データを要求元の端末装置５００へ配信する。この配信は、例えば、ストリーミング配信によって行われる。
【００２１】
コメント配信サーバ３００は、動画配信サーバ２００が配信する動画データに対するコメントを端末装置５００から受信する。コメント配信サーバ３００は、コメントを、動画データのＩＤ、当該コメントが入力された時刻、当該コメントを表示させる再生時間、当該コメントを入力したユーザのユーザＩＤ、及び当該コメントの表示方法に関連付けて記憶する。コメント配信サーバ３００は、動画データを閲覧する各端末装置５００に、当該動画データのＩＤに関連付けられたコメントを配信する。
【００２２】
入力候補配信サーバ４００は、動画データごとに、当該動画データに対するコメントの入力候補と当該コメントの提示期間とを関連付けた辞書データを記憶する。入力候補配信サーバ４００は、動画データを閲覧する各端末装置５００に、当該動画データに対するコメントの入力候補を含む辞書データを配信する。入力候補配信サーバ４００は、候補抽出装置の一例である。
【００２３】
端末装置５００は、ウェブサーバ１００から提供されるウェブページを表示する。これにより、端末装置５００は、動画配信サーバ２００から配信される動画データに重畳させて、コメント配信サーバ３００から配信されるコメントを表示する。また端末装置５００は、動画データに対するコメントの入力候補を表示する。端末装置５００は、例えばテレビ、ＰＣ、モバイル端末、ゲーム機などの情報処理装置によって実現される。
【００２４】
図２は、一実施形態に係る入力候補配信サーバ４００の構成を示す概略ブロック図である。
入力候補配信サーバ４００は、通信部４０１、関連動画抽出部４０２、コメント取得部４０３、候補抽出部４０４、出現数特定部４０５、共起コメント特定部４０６、提示期間特定部４０７、候補記録部４０８、候補記憶部４０９を備える。
通信部４０１は、ネットワークＮを介してウェブサーバ１００、動画配信サーバ２００、コメント配信サーバ３００及び端末装置５００と通信する。通信部４０１は、出力部の一例である。
関連動画抽出部４０２は、動画配信サーバ２００に記録されている動画データの中から、端末装置５００が再生する動画データに関連する他の動画データ（関連動画データ）を抽出する。
コメント取得部４０３は、コメント配信サーバ３００から、関連動画抽出部４０２が抽出した関連動画データに対するコメントを取得する。
候補抽出部４０４は、コメント取得部４０３が取得したコメントに基づいて、コメントの入力候補を抽出する。
出現数特定部４０５は、候補抽出部４０４が抽出した入力候補に類似するコメントの出現数を特定する。
共起コメント特定部４０６は、同じ動画データにおいて候補抽出部４０４が抽出した入力候補に類似するコメントに共起しやすいコメントを特定する。
提示期間特定部４０７は、候補抽出部４０４が抽出した入力候補を提示すべき提示期間を特定する。
候補記録部４０８は、候補抽出部４０４が抽出した入力候補と、当該入力候補に類似するコメントの出現数と、当該入力候補に類似するコメントに共起しやすいコメントと、当該入力候補の提示期間とを、関連付けて候補記憶部４０９に記録する。
候補記憶部４０９は、動画データごとに、候補抽出部４０４が抽出したコメントの入力候補を、提示期間特定部４０７が特定した提示期間に関連付けて記憶する。つまり、候補記憶部４０９は、動画データごとに入力候補の辞書データを記憶する。
【００２５】
上記構成を有することで、入力候補配信サーバ４００は、端末装置５００に対して適切なコメントの入力候補を提示することができる。
【００２６】
入力候補配信サーバ４００は、予め動画配信サーバ２００に格納される各動画データについて、コメントの入力候補を抽出し、辞書データとして候補抽出部４０４に記録しておく。入力候補配信サーバ４００による入力候補の抽出は、定期的に実行される。ここで、入力候補配信サーバ４００がある動画データについてコメントの入力候補を生成する動作について説明する。
【００２７】
図３は、一実施形態に係る入力候補配信サーバ４００による候補抽出方法を示すフローチャートである。
まず、関連動画抽出部４０２は、通信部４０１を介してウェブサーバ１００から各動画データに関連付けられた動画タグを取得する（ステップＳ１０１）。次に、関連動画抽出部４０２は、入力候補の抽出対象となる動画データと共通する動画タグが所定数（例えば、２つ）以上存在する動画データを、関連動画データとして抽出する（ステップＳ１０２）。動画タグは、動画の特徴を示すメタデータである。そのため、複数の動画タグが共通する動画データ同士は、強い関連性を有することが推定される。なお、本実施形態においては、計算量の増大を防ぎつつ適切にコメントを抽出するため、関連動画抽出部４０２は、関連動画データとして１０個の動画データを抽出する。関連動画データの候補が１０個以上存在する場合、関連動画抽出部４０２は、人気の高い上位１０個の動画データを関連動画データとして抽出する。人気の高い動画データとは、例えば、再生数が多い動画データ、お気に入りの登録数が多い動画データ、コメント数が多い動画データなどが挙げられる。
【００２８】
次に、コメント取得部４０３は、関連動画抽出部４０２が抽出した関連動画データに対するコメント及びその再生時間を取得する（ステップＳ１０３）。
次に、候補抽出部４０４は、コメント取得部４０３が取得した各コメントを解析し、コメント間の類似度を算出可能なパラメータを生成する（ステップＳ１０４）。例えば、候補抽出部４０４は、各コメントを所定文字数（例えば、２文字）単位で分割し（Ｎ−Ｇｒａｍ）、当該所定文字数の文字列とその出現数を示すベクトルを、類似度算出可能なパラメータとして生成する。
【００２９】
具体的には、候補抽出部４０４は、コメント「いやああああｗｗｗｗｗｗ」についてのベクトルとして、文字列「いや」が１回、文字列「やあ」が１回、文字列「ああ」が３回、文字列「あｗ」が１回、文字列「ｗｗ」が５回出現することを示すベクトルを生成する。これにより、例えばベクトル同士のコサイン類似度の算出によって、コメント間の類似度が算出される。なお、ベクトル間の類似度を算出する際、各文字列の出現数について、当該文字列の全出現頻度に対して単調減少するような重み付けをすることで、より適切に類似度を算出することができる（例えば、ＴＦ・ＩＤＦ法）。具体的には、文字列「ｗｗ」や文字列「ああ」は、頻出であるため、他の文字列に対して相対的に重みが小さくなる。このような重み付けを用いて類似度を算出する場合、文字列「すげえｗｗｗｗｗｗｗｗｗｗｗｗｗ」と「やめろｗｗｗｗｗｗｗｗｗｗｗｗｗ」の類似度は、重み付けを行わない場合と比較して低くなる。他方、このような重み付けを用いて類似度を算出する場合、文字列「やめろｗｗｗｗｗｗｗｗｗｗｗｗｗ」と「やめろｗ」の類似度は、重み付けを行わない場合と比較して高くなる。
【００３０】
次に、候補抽出部４０４は、コメント取得部４０３が取得したコメントから、類似する複数のコメントからなるグループを生成する（ステップＳ１０５）。例えば、候補抽出部４０４は、ベクトルのコサイン類似度が所定の閾値（例えば０．９）以上となるコメントの組み合わせを、類似するコメントの組み合わせとして抽出し、類似する複数のコメントからなるグループを特定する。このとき候補抽出部４０４は、類似する２つのコメントが、所定時間（例えば、４秒）以上離れて存在し、かつ当該２つのコメントの間に他の類似するコメントが無い場合、当該２つのコメントを別のグループに属するものとして扱う。これにより、候補抽出部４０４は、同じ文字列からなるコメントであってそれぞれ別の時間に集中して出現するコメント（例えば歌詞の１番と２番など）を、別個のグループとして取り扱うことができる。また候補抽出部４０４は、グループごとにユニークなＩＤを付与する。
【００３１】
候補抽出部４０４は、特定したグループそれぞれに含まれる代表的なコメントを、入力候補として抽出する（ステップＳ１０６）。代表的なコメントとは、例えば同一グループ内の他のコメントに係るベクトルとのコサイン類似度の平均値が最も高いものなどが挙げられる。次に、出現数特定部４０５は、候補抽出部４０４が生成したグループのコメント数を、当該グループから抽出した入力候補に類似するコメントの出現数として特定する（ステップＳ１０７）。
【００３２】
次に、提示期間特定部４０７は、候補抽出部４０４が生成した各グループに含まれるコメントが出現する再生時間の平均値とその散布度から、ステップＳ１０６で特定した各入力候補の提示期間を特定する（ステップＳ１０８）。
【００３３】
また、共起コメント特定部４０６は、同じ動画データにおいて共起しやすいコメントを含むグループの組を特定する（ステップＳ１０９）。例えば、共起コメント特定部４０６は、コメントの組ごとに、所定数（例えば、５個）以上の関連動画データに両方のコメントが関連付けられているか否かを判定し、該当するコメントを含むグループの組を特定する。
ここで、共起しやすいコメントを特定する理由について説明する。
共起しやすいコメントの例としては、動画データがライブ映像やプロモーションビデオなど、楽曲を主とするものである場合における、当該楽曲の歌詞や合いの手（コールや掛け声）等のコメントが挙げられる。例えば、ある楽曲の動画データにおいて、ある再生時間にコメント「（』゜Д゜）』＜フワ↑フワ↑」が出現し、他の再生時間にコメント「（』゜Д゜）』  Ｌ・Ｏ・Ｖ・Ｅ」が出現する。この場合、コメント「（』゜Д゜）』＜フワ↑フワ↑」とコメント「（』゜Д゜）』  Ｌ・Ｏ・Ｖ・Ｅ」が共起するといえる。
つまり、当該楽曲を含む動画データに対するコメントとしてコメント「（』゜Д゜）』＜フワ↑フワ↑」が含まれる場合、コメント「（』゜Д゜）』  Ｌ・Ｏ・Ｖ・Ｅ」が、当該コメントの有無に関わらず、入力候補に相応しいことが分かる。
これにより、候補記録部４０８は、対象の動画データに対するコメントとしては投稿されていないが、関連動画データに対して投稿されていることから、今後投稿される可能性が高いとされるコメントを、入力候補とすることができる。
【００３４】
そして、候補記録部４０８は、候補抽出部４０４が抽出した入力候補と、当該入力候補が含まれるグループのＩＤと、当該入力候補に類似するコメントの出現数と、当該入力候補に類似するコメントに共起しやすいコメントを含むグループのＩＤと、当該入力候補の提示期間とを、関連付けて候補記憶部４０９に記録する（ステップＳ１１０）。
これにより、入力候補配信サーバ４００は、入力候補の辞書データを候補記憶部４０９に記録しておくことができる。
【００３５】
図４は、一実施形態に係る端末装置５００の構成を示す概略ブロック図である。
端末装置５００は、入力部５０１、通信部５０２、候補特定部５０３、表示制御部５０４、表示部５０５を備える。
入力部５０１は、入力デバイスを介してユーザからの入力を受け付ける。入力デバイスの例としては、ＰＣのマウスやキーボード、携帯電話端末のキーやタッチパネル、テレビの赤外線リモコンなどが挙げられる。
通信部５０２は、ネットワークＮを介してウェブサーバ１００、動画配信サーバ２００、コメント配信サーバ３００及び入力候補配信サーバ４００と通信する。
候補特定部５０３は、コメント配信サーバ３００から受信したコメント及び入力候補配信サーバ４００から受信した辞書データに基づいて、再生される動画データに対するコメントの入力候補を特定する。
表示制御部５０４は、ウェブサーバ１００から受信したウェブページに基づいて、動画データ、コメント及び入力候補を重畳して表示させる表示データを生成する。
表示部５０５は、表示制御部５０４が生成した表示データをディスプレイに表示させる。
【００３６】
ここで、端末装置５００を用いたコメントの入力方法を説明する。
図５は、一実施形態に係る端末装置５００の動作を示すフローチャートである。
入力部５０１は、ユーザから動画リスト表示の指示の入力を受け付ける（ステップＳ２０１）。入力部５０１に動画リスト表示の指示が入力されると、通信部５０２は、ウェブサーバ１００に動画リストの送信要求を送信する。通信部５０２がウェブサーバ１００から動画リストを受信すると（ステップＳ２０２）、表示部５０５は、当該動画リストをディスプレイに表示させる（ステップＳ２０３）。当該動画リストには、複数の動画データの情報に関連付けて、当該動画データを表示するためのウェブページのＵＲＬへのハイパーリンクが張られている。
【００３７】
次に、入力部５０１は、ユーザから動画データを表示するためのウェブページのＵＲＬの入力を受け付ける（ステップＳ２０４）。ユーザは、表示部５０５に表示された動画リストの中から所望の動画データを表示するためのウェブページのＵＲＬへのハイパーリンクを選択することで、ＵＲＬを入力する。入力部５０１にＵＲＬが入力されると、通信部５０２は、当該ＵＲＬに従って、ウェブサーバ１００から動画データを表示するためのウェブページを受信する（ステップＳ２０５）。当該ウェブページには、動画データを取得するためのＵＲＬ、コメントを取得するためのＵＲＬ、コメントの入力候補を取得するためのＵＲＬが含まれる。
【００３８】
次に、表示制御部５０４は、ウェブページに含まれるＵＲＬに従って、通信部５０２を介して動画データ、コメント及び辞書データを取得する（ステップＳ２０６）。つまり、通信部５０２は、ＵＲＬに従って、動画配信サーバ２００から動画データを受信する。通信部５０２は、ＵＲＬに従って、コメント配信サーバ３００からコメントを受信する。通信部５０２は、ＵＲＬに従って、入力候補配信サーバ４００から辞書データを受信する。
【００３９】
表示制御部５０４は、ウェブページに従って、動画データに重畳してコメントを表示させる表示データを生成する。なお、コメント配信サーバ３００から受信するコメントには、動画データの再生時間が関連付けられている。表示制御部５０４は、動画データの再生時間が、コメントに関連付けられた再生時間と一致した時に、当該コメントの表示を開始する。そして、表示制御部５０４は、コメントの表示を開始した再生時間から所定の時間が経過した時に、当該コメントを非表示にする。表示部５０５は、表示制御部５０４が生成した表示データをディスプレイに表示させる（ステップＳ２０７）。
【００４０】
ここで、入力部５０１は、ユーザからコメントの入力指示を受け付ける（ステップＳ２０８）。具体的には、入力部５０１は、入力デバイスの所定のキー（例えば、決定キ―）が押下された場合に、当該押下がコメントの入力指示であると判定する。入力部５０１にコメントの入力指示が入力された場合（ステップＳ２０８：ＹＥＳ）、候補特定部５０３は、通信部５０２が受信した各コメントを解析し、コメント間の類似度を算出可能なパラメータを生成する（ステップＳ２０９）。例えば、候補特定部５０３は、各コメントを所定文字数（例えば、２文字）単位で分割し（Ｎ−Ｇｒａｍ）、当該所定文字数の文字列とその出現数を示すベクトルを、類似度算出可能なパラメータとして生成する。
【００４１】
次に、候補特定部５０３は、通信部５０２が受信したコメントから、類似する複数のコメントからなるグループを生成する（ステップＳ２１０）。このとき候補特定部５０３は、類似する２つのコメントが、所定時間（例えば、４秒）以上離れて存在し、かつ当該２つのコメントの間に他の類似するコメントが無い場合、当該２つのコメントを別のグループに属するものとして扱う。
【００４２】
候補特定部５０３は、生成したグループのうち、当該グループに含まれるコメント数が所定数（例えば、５個）以上となるものを特定する（ステップＳ２１１）。次に、候補特定部５０３は、ステップＳ２１１で特定した各グループに関連するコメントを入力候補にする場合の提示期間を算出する（ステップＳ２１２）。具体的には、候補特定部５０３は、各グループに含まれるコメントが出現する再生時間の平均値と散布度とに基づいて、提示期間を算出する。
【００４３】
候補特定部５０３は、動画データの現在の再生時間を含む提示期間に関連付けられたグループを特定する（ステップＳ２１３）。候補特定部５０３は、ステップＳ２１３で特定したグループそれぞれに含まれる代表的なコメントを、入力候補として特定する（ステップＳ２１４）。これにより、候補特定部５０３は、現在再生中の動画データにおいて入力される頻度が高いコメントを、入力候補として挙げることができる。
【００４４】
候補特定部５０３は、特定した入力候補の数が予め定められた最低限の提示数以上であるか否かを判定する（ステップＳ２１５）。つまり、候補特定部５０３は、ユーザに提示する入力候補の数が最低限の提示数を満たすか否かを判定する。
候補特定部５０３は、入力候補の数が最低限の提示数に満たないと判定した場合（ステップＳ２１５：ＮＯ）、通信部５０２が受信した辞書データに含まれる入力候補の中から、通信部５０２が受信したコメントとの類似度が高いものを、ユーザに提示する入力候補として特定する（ステップＳ２１６）。つまり、候補特定部５０３は、再生中の動画データに対する頻出でないコメントのうち、関連動画データにおいて頻出するものを、入力候補として挙げる。これにより、候補特定部５０３は、再生中の動画データに対するコメントの数が少ない場合にも、ユーザに適切な入力候補を提示することができる。
【００４５】
次に、候補特定部５０３は、ステップＳ２１４とステップＳ２１６とにおいて特定した入力候補の数が予め定められた最低限の提示数以上であるか否かを判定する（ステップＳ２１７）。
候補特定部５０３は、入力候補の数が最低限の提示数に満たないと判定した場合（ステップＳ２１７：ＮＯ）、通信部５０２が受信した辞書データに含まれる入力候補の中から、動画データの現在の再生時間を含む提示期間に関連付けられたものであって、出現数が所定数（例えば、１０個）以上のものを、ユーザに提示する入力候補として特定する（ステップＳ２１８）。つまり、候補特定部５０３は、再生中の動画データに対して入力されていないコメントであって、関連動画データにおいて頻出するものを、入力候補として挙げる。これにより、候補特定部５０３は、再生中の動画データに対するコメントがない場合にも、ユーザに適切な入力候補を提示することができる。
【００４６】
次に、候補特定部５０３は、ステップＳ２１４とステップＳ２１６とステップＳ２１８とにおいて特定した入力候補の数が予め定められた最低限の提示数以上であるか否かを判定する（ステップＳ２１９）。
候補特定部５０３は、入力候補の数が最低限の提示数に満たないと判定した場合（ステップＳ２１９：ＮＯ）、通信部５０２が受信した辞書データに含まれる入力候補の中から、通信部５０２が受信したコメントに共起しやすいものを、ユーザに提示する入力候補として特定する（ステップＳ２２０）。これにより、候補特定部５０３は、合いの手や歌詞などのコメントを入力候補として挙げることができる。
【００４７】
候補特定部５０３が、入力候補の数が最低限の提示数に達したと判定した場合（ステップＳ２１５：ＹＥＳ、Ｓ２１７：ＹＥＳ、Ｓ２１９：ＹＥＳ）、または、ステップＳ２２０で共起しやすいコメントを入力候補として特定した場合、表示制御部５０４は、動画データ及びコメントに重畳させてコメントの入力候補の入力インタフェースを含む表示データを生成する（ステップＳ２２１）。そして、表示部５０５は、当該表示データをディスプレイに表示させる。次に、入力部５０１は、ユーザからコメントの入力を受け付ける（ステップＳ２２２）。
【００４８】
図６は、入力インタフェースの一例を示す図である。
本実施形態に係る入力インタフェースは、入力デバイス（図４では方向キー及び方向キーの中央に配された決定キ―）の画像と、入力デバイスのキーに対応する入力候補と、入力中のコメントのプレビューを表示するプレビューエリアとを含む。図４に示す例では、上キーに入力候補「ｗ」が、左キーに入力候補「ぬこ」が、右キーに入力候補「うぽつ」が関連付けられている。なお、下キーには、提示する入力候補を切り替える「文字変更」機能が関連付けられている。また、決定キーには、それまでに入力された入力候補を組み合わせた文字列をコメントとして入力する機能が関連付けられている。これにより、ユーザは、例えば右キーを押下した後に上キーを３回押下し、その後に決定キーを押下することで、「うぽつｗｗｗ」というコメントを入力することができる。
なお、入力候補配信部から受信する入力候補には、それぞれ当該入力候補を提示するタイミングである提示期間が関連付けられている。表示制御部５０４は、当該提示期間に基づいて、表示中の動画データの再生時間に応じて提示する入力候補を変更する。
【００４９】
入力部５０１がユーザからのコメントの入力を受け付けると、通信部５０２は、当該コメントを、入力されたときの動画データの再生時間に関連付けて、コメント配信サーバ３００に送信する（ステップＳ２２３）。また、表示制御部５０４は、入力インタフェースを含まない表示データを生成する。
【００５０】
ユーザからコメントの入力指示の入力がない場合（ステップＳ２０８：ＮＯ）、またはステップＳ２２３でコメントを送信した場合、表示制御部５０４は、動画データの再生を終了したか否かを判定する（ステップＳ２２４）。表示制御部５０４は、動画データを最後まで再生し終えた場合や、停止ボタンが押下された場合に、動画データの再生を終了したと判定する。表示制御部５０４は、動画データの再生が終了していないと判定した場合（ステップＳ２２４：ＮＯ）、ステップＳ２０８に戻り、コメントの入力指示の受け付けを継続する。他方、表示制御部５０４は、動画データの再生が終了したと判定した場合（ステップＳ２２４：ＹＥＳ）、処理を終了する。
【００５１】
これにより、端末装置５００は、動画データに対し簡易にコメントを入力することができる。特に、本実施形態によれば、端末装置５００がテレビなど、文字列の入力が困難なものである場合にも、ユーザは、容易にコメントの入力を行うことが出来る。また、本実施形態に係るコメント配信システム１は、動画データに対するコメントの入力候補を、他の動画データに対するコメントに基づいて生成する。これにより、本実施形態に係るコメント配信システム１は、動画データに対するコメントの数が少ない場合にも適切な入力候補を提示することができる。
【００５２】
以上、図面を参照して一実施形態について詳しく説明してきたが、具体的な構成は上述のものに限られることはなく、様々な設計変更等をすることが可能である。
例えば、本実施形態では、入力候補配信サーバ４００が入力候補の辞書データを生成し、端末装置５００が当該辞書データの中から提示すべき入力候補を特定する場合について説明したが、これに限られない。例えば、他の実施形態では、入力候補配信サーバ４００が上述したステップＳ２０９〜Ｓ２２１の処理を行って、提示すべき入力候補の特定を行っても良い。また他の実施形態では、端末装置５００が、再生すべき動画データを取得する度に上述したステップＳ１０１〜Ｓ１１０の処理を行って辞書データをリアルタイムに生成しても良い。つまり、端末装置５００が候補抽出装置の一例であっても良い。
【００５３】
また、本実施形態では、入力候補配信サーバ４００が、ある動画データの入力候補を、当該動画データに類似する動画データに対するコメントに基づいて抽出する場合について説明したが、これに限られない。例えば、他の実施形態では、入力候補配信サーバ４００は、ユーザが過去に再生したことがある動画データや、ユーザによって所定のリスト（例えば、お気に入りリスト）に登録された動画データ等に対するコメントに基づいて抽出しても良い。
【００５４】
また、本実施形態では、入力候補配信サーバ４００が、２つ以上の動画タグが共通する動画データを関連動画データとして特定する場合について説明したが、これに限られない。例えば、他の実施形態では、入力候補配信サーバ４００が、３つの動画タグが共通する動画データを関連動画データとして特定しても良い。また、他の実施形態では、入力候補配信サーバ４００が、動画タグ以外のメタデータを用いて関連動画データを特定しても良い。具体的には、入力候補配信サーバ４００は、動画説明やタイトルなどをメタデータとして関連動画データを特定しても良い。また、他の実施形態では、入力候補配信サーバ４００が動画データを解析し、入力候補の抽出対象の動画データと類似する他の動画データを関連動画データとして特定しても良い。入力候補の抽出対象の動画データと類似する他の動画データとは、例えば、入力候補の抽出対象の動画データと同一の楽曲を用いている他の動画データや、入力候補の抽出対象の動画データに含まれる画像と類似する画像を含む他の動画データなどが挙げられる。
【００５５】
また、本実施形態では、入力候補配信サーバ４００が関連動画データに含まれるコメントを入力候補として抽出する場合について説明したが、これに限られない。例えば、他の実施形態では、入力候補配信サーバ４００が関連動画データに含まれるコメントの一部を入力候補として抽出しても良い。例えば、「ｗ」という文字は、他の語句の末尾に付されることで、笑っていることを表現する際に用いられることがある。また「ｗ」という文字の個数の多さは、笑いの度合いを表現している。つまり、「ｗ」という文字は、他の文言と共にコメントに含まれ、また当該文字の数はコメントごとに異なる。そこで、他の実施形態では、このような文字や文字列を入力候補として抽出しても良い。具体的には、候補抽出部４０４は、コメント取得部４０３が取得したコメントを形態素解析し、形態素解析により取得された各形態素を入力候補として抽出しても良い。この場合、候補抽出部４０４は、既知の単語を入力候補として抽出することができる。また他の実施形態では、候補抽出部４０４は、各コメントから文字列を複数の異なる文字数ごとに切り出し（Ｎ−Ｇｒａｍ）、当該文字列の出現数と文字数とに基づいて入力候補を抽出しても良い。例えば、候補抽出部４０４は、出現数と文字数とに対して単調増加するパラメータを算出し、当該パラメータの値が所定値より大きい文字または文字列を、入力候補として抽出する。この場合、候補抽出部４０４は、既知の単語のみならず熟語及び未知の単語についても入力候補として抽出することができる。
【００５６】
また、本実施形態では、候補抽出部４０４は、Ｎ−Ｇｒａｍ解析によりコメントの類似度を算出する場合について説明したが、これに限られない。例えば、他の実施形態では、候補抽出部４０４は、形態素解析によって抽出された形態素に基づいて生成されるベクトルを用いて類似度を算出しても良い。また他の実施形態では、候補抽出部４０４は、コメント間のレーベンシュタイン距離によって類似度を算出しても良い。
【００５７】
また、本実施形態では、共起コメント特定部４０６が、複数の関連動画データにたいするコメントから特定されたグループに基づいて共起するコメントを特定する場合について説明したが、これに限られない。例えば、共起コメント特定部４０６は、関連動画データごとに類似するコメントのグループを生成し、複数（例えば、５つ）の関連動画データにおいて共通するグループの組が存在する場合に、当該グループに属するコメントが共起すると判定しても良い。例えば、共起コメント特定部４０６は、ある関連動画データから生成されたグループに含まれるコメントと、他の関連動画から生成されたグループに含まれるコメントとの類似度が所定値以上である場合に、２つのグループが共通するグループであると特定することができる。
【００５８】
図７は、少なくとも１つの実施形態に係るコンピュータ９００の構成を示す概略ブロック図である。
コンピュータ９００は、ＣＰＵ９０１、主記憶装置９０２、補助記憶装置９０３、インタフェース９０４を備える。
上述の入力候補配信サーバ４００及び端末装置５００は、それぞれコンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、上述した記憶部に対応する記憶領域を主記憶装置９０２に確保する。
【００５９】
なお、少なくとも１つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ、ＤＶＤ−ＲＯＭ、半導体メモリ等が挙げられる。また、このプログラムがネットワークＮを介してコンピュータ９００に配信される場合、配信を受けたコンピュータ９００が当該プログラムを主記憶装置９０２に展開し、上記処理を実行しても良い。
【００６０】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【符号の説明】
【００６１】
１…コメント配信システム  １００…ウェブサーバ  ２００…動画配信サーバ  ３００…コメント配信サーバ  ４００…入力候補配信サーバ  ４０１…通信部  ４０２…関連動画抽出部  ４０３…コメント取得部  ４０４…候補抽出部  ４０５…出現数特定部  ４０６…共起コメント特定部  ４０７…提示期間特定部  ４０８…候補記録部  ４０９…候補記憶部  ５００…端末装置  ５０１…入力部  ５０２…通信部  ５０３…候補特定部  ５０４…表示制御部  ５０５…表示部  ９００…コンピュータ  ９０１…ＣＰＵ  ９０２…主記憶装置  ９０３…補助記憶装置  ９０４…インタフェース  Ｎ…ネットワーク
【図１】
2015211290.tif 000003
【図２】
2015211290.tif 000004
【図３】
2015211290.tif 000005
【図４】
2015211290.tif 000006
【図５】
2015211290.tif 000007
【図６】
2015211290.tif 000008
【図７】
2015211290.tif 000009
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
動画データに対するコメントの入力候補を、当該動画データと異なる他の動画データに対するコメントから抽出する候補抽出部と
前記候補抽出部が抽出した入力候補を前記動画データを再生する端末装置に出力する出力部と
を備える候補抽出装置。
【請求項２】
前記動画データとメタデータの少なくとも一部が共通する他の動画データを抽出する関連動画抽出部を備え、
前記候補抽出部は、動画データに対するコメントの入力候補を、前記関連動画抽出部が抽出した他の動画データに対するコメントから抽出する
請求項１に記載の候補抽出装置。
【請求項３】
前記メタデータは、１又は複数の動画タグであって、
前記関連動画抽出部は、前記動画データと共通する動画タグの個数が所定数以上である他の動画データを抽出する
請求項２に記載の候補抽出装置。
【請求項４】
前記動画データと類似する他の動画データを抽出する関連動画抽出部を備え、
前記候補抽出部は、動画データに対するコメントの入力候補を、前記関連動画抽出部が抽出した他の動画データに対するコメントから抽出する
請求項１に記載の候補抽出装置。
【請求項５】
前記候補抽出部が抽出した入力候補ごとに、当該入力候補と類似するコメントが出現する再生時間に基づいて当該入力候補の提示期間を特定する提示期間特定部を備え、
前記出力部は、前記候補抽出部が抽出した入力候補と、前記提示期間特定部が特定した提示期間に基づいて決定した当該入力候補の提示期間とを関連付けて前記動画データを再生する端末装置に出力する
請求項１から請求項４の何れか１項に記載の候補抽出装置。
【請求項６】
動画データに対するコメントの入力候補を、当該動画データと異なる他の動画データに対するコメントから抽出する候補抽出部と、
前記候補抽出部が抽出した入力候補の中から、端末装置に表示させる入力候補を特定する候補特定部と
を備えるコメント配信システム。
【請求項７】
前記候補特定部は、前記候補抽出部が抽出した入力候補のうち、前記動画データに対するコメントと類似するものを、前記端末装置に表示させる入力候補として特定する
請求項６に記載のコメント配信システム。
【請求項８】
前記候補特定部は、前記候補抽出部が抽出した入力候補のうち、前記動画データに対するコメントと類似するものに共起するものを、前記端末装置に表示させる入力候補として特定する
請求項６または請求項７に記載のコメント配信システム。
【請求項９】
前記候補特定部は、前記候補抽出部が抽出した入力候補のうち、前記他の動画データにおける当該入力候補に類似するコメントの出現数が所定数以上のものを、前記端末装置に表示させる入力候補として特定する
請求項６から請求項８の何れか１項に記載のコメント配信システム。
【請求項１０】
前記候補抽出部は、前記動画データに対するコメントの入力候補として、当該動画データにおいて入力される頻度が高いコメントを抽出し、当該入力候補の数が最低限の提示数に満たない場合に、前記動画データに対するコメントの入力候補を当該動画データと異なる他の動画データに対するコメントから抽出する
請求項１から請求項９の何れか１項に記載のコメント配信システム。
【請求項１１】
前記候補抽出部は、前記他の動画データに対する複数のコメントについて、当該コメントを所定文字数単位で分割した文字列とその出現数を示すベクトルに基づいて、類似する複数の前記コメントからなるグループを生成し、当該グループに含まれる前記コメントを、前記入力候補として抽出する
請求項１から請求項１０の何れか１項に記載のコメント配信システム。
【請求項１２】
動画データに対するコメントの入力候補を、当該動画データと異なる他の動画データに対するコメントから抽出するステップと
前記抽出した入力候補を前記動画データを再生する端末装置に出力するステップと
を有する候補抽出方法。
【請求項１３】
コンピュータを、
動画データに対するコメントの入力候補を、当該動画データと異なる他の動画データに対するコメントから抽出する候補抽出部、
前記候補抽出部が抽出した入力候補を前記動画データを再生する端末装置に出力する出力部
として機能させるためのプログラム。
【手続補正２】
【補正対象書類名】明細書
【補正対象項目名】００１３
【補正方法】変更
【補正の内容】
【００１３】
また、第９の態様は、第６から第８の何れかの態様において、前記候補特定部は、前記候補抽出部が抽出した入力候補のうち、前記他の動画データにおける当該入力候補に類似するコメントの出現数が所定数以上のものを、前記端末装置に表示させる入力候補として特定するコメント配信システムである。
また、第１０の態様は、第１から第９の何れかの態様において、前記候補抽出部は、前記動画データに対するコメントの入力候補として、当該動画データにおいて入力される頻度が高いコメントを抽出し、当該入力候補の数が最低限の提示数に満たない場合に、前記動画データに対するコメントの入力候補を当該動画データと異なる他の動画データに対するコメントから抽出するコメント配信システムである。
また、第１１の態様は、第１から第１０の何れかの態様において、前記候補抽出部は、前記他の動画データに対する複数のコメントについて、当該コメントを所定文字数単位で分割した文字列とその出現数を示すベクトルに基づいて、類似する複数の前記コメントからなるグループを生成し、当該グループに含まれる前記コメントを、前記入力候補として抽出するコメント配信システムである。
【手続補正３】
【補正対象書類名】明細書
【補正対象項目名】００１４
【補正方法】変更
【補正の内容】
【００１４】
また、第１２の態様は、動画データに対するコメントの入力候補を、当該動画データと異なる他の動画データに対するコメントから抽出するステップと前記抽出した入力候補を前記動画データを再生する端末装置に出力するステップとを有する候補抽出方法である。
【手続補正４】
【補正対象書類名】明細書
【補正対象項目名】００１５
【補正方法】変更
【補正の内容】
【００１５】
また、第１３の態様は、コンピュータを、動画データに対するコメントの入力候補を、当該動画データと異なる他の動画データに対するコメントから抽出する候補抽出部、前記候補抽出部が抽出した入力候補を前記動画データを再生する端末装置に出力する出力部として機能させるためのプログラムである。